(57)【要約】      （修正有）【課題】利用者及び介護者の負担を軽減させ、安全で便利な介護用ポータブルトイレボックスを提供する。【解決手段】既存のポータブルトイレの便座の位置を高くするための板、便座に座る際に身体の安定性を得るための握り部分、着座後足元の安定性を確保するためのスライド式の板、着座後に身体を自由に動かすための補助具、筋力の弱っている利用者が着座後、前のめりに転倒するのを防止する補助具、排泄時の床面の汚れ防止のためのシートやパネル、防水加工布、及び、板の下部を利用した小物収納部分からなる。【選択図】図１
0003155600.tif 000002
【実用新案登録請求の範囲】
【請求項１】
排泄をするにあたって、ポータブルトイレを利用している人や介護者の助けを借りてポータブルトイレに用を足している人達にとって、安心して用を済ませることのできる環境を整える必要がある。そこで考案したものが以下に記す機能を備えた室内設置型介護用ポータブルトイレボックスである。
（イ）  既存のポータブルトイレの便座の位置を高くするための板。
（ロ）  （イ）で高くなった便座に座る際、身体の安定性を得るための握り部分。
（ハ）  便座位置が高くなっているので着座後足元の安定性を確保するための板。
（ニ）  着座後、身体を自由に動かすための補助具。
（ホ）  利用者、介助者の足元の安全を確保できる形状。
（ヘ）  筋力の弱っている利用者が着座後、前のめりに転倒するのを防止する補助具。
（ト）  排泄時の床面の汚れ防止のためのシートやパネル等。
（チ）  （イ）の板の下部を利用した小物収納部分。
【考案の詳細な説明】
【考案の詳細な説明】
【考案が属する技術分野】
【０００１】  この考案は、既存のポータブルトイレを利用して排泄させる際、利用者介助者双方にかかる負担を軽減させることに関するものである。
【考案の背景】
【０００２】  ポータブルトイレは、すでに何種類か発売されているが、利用者がその便座に座って排泄するまでにはいくつか課題があるので、利用者にとっても介助者にとっても安心して使えるトイレが必要であると考えた。
尚、ポータブルトイレそのものはすでにあるので、それを利用することを前提に考えてみた。又、この介護用ポータブルトイレボックスは室内にて利用することが多いので、違和感や外観等も考慮すべきポイントであると考える。
【考案が解決しようとする課題】
【０００３】（イ）  発売されているポータブルトイレは、便座の高さが健常者のものと同じなために、筋力の弱っている人や足首・膝・腰等にトラブルのある人が着座するまで、筋力的な負担が大きい。また、介助者が補助する場合も、筋力を要するため負担と不安が大きくなる。
（ロ）  便座の位置を高くすると座るまでにかかる筋力的負担は軽くなるが、支えがないと不安定である。
（ハ）  便座の位置を高くすると着座後は足元が不安定になる。
（ニ）  着座後、身体を動かしたくとも、掴まる物がないと動きにくい。
（ホ）  介助者が利用者を抱える際、介助者の足先は利用者よりも、より便器に近い位置に置かなければならないので、足元の安全・安定性を確保しなければならない。
（ヘ）  着座後、姿勢を保つことに不安がある利用者のためには、補助具が必要である。
（ト）  便器前床面の汚れ防止のための工夫が必要である。
（チ）  排泄後の処理に使用する種々のものを収納する部分が必要である。
（リ）  室内で使うことを前提としているので外観にも気を配る必要がある。
【課題を解決するための手段】
（イ）  既存のポータブルトイレの便座の位置を高くするため、枠に板を載せる。
（ロ）  （イ）の板に利用者が掴まるための補助具を取り付ける。スライド式が便利である
（ハ）  （イ）の板に足元を安定させるための足載せ板を取り付ける。スライド式が便利である。
（ニ）  （イ）の板に着座後に握る、あるいは腕を載せるための補助棒を設置する。この棒は利用者に合わせて高さを調節できるようにする。
（ホ）  （イ）の板の前部は足元の安全の確保のために形状を工夫する。
（ヘ）  介助者が一時的にその場を離れる場合、左右・後部は囲いがあるので倒れる心配はないが、前に倒れることも考えられるので、（ニ）の補助棒に前のめり防止具を取り付ける。
（ト）  （イ）の板の前部にシートやパネル等を収納できるように取り付ける。
（チ）  （イ）の下部を小物の収納部分として利用できる。
（リ）  （ヘ）の、前のめり防止具に布等を取り付けることによって利用者の羞恥心をやわらげることができ、素材によって保温効果も得られる。また、（ト）のシートやパネルのデザイン、材質等によって、ポータブルトイレ部分をすっぽり被い、トイレとは思えない状態にすることができる。
【考案の効果】
便座の高さを従来より高くすることによって、臀部が早く便座に接することで安心感を持たせ、筋力的負担を軽くする。また、掴まるための補助具を取り付けることによって一層安心感が出るため、利用者も介助者も早く次の動作に移ることができる。また、（ニ）の補助棒によって、着座後、座り心地の良い位置を確保するための動作が楽になる。さらに、上下の調節機能があるので利用者の身長差に対応できる。
次に、このポータブルトイレは主に室内で使われることを考えると、利用者の精神的負担もやわらげてあげる必要がある。そこで（ヘ）の補助棒に布等を取り付けることによって羞恥心を緩和し、安心して排泄することができる。尚、この布の素材によっては、寒い時期には保温効果も得られる。
さらに、床面の汚れを防止するために、（イ）の前部にシートやパネル等を取り付ける。これは素材や形状によって、用を済ませた後はすっぽり被ってトイレとは思えないような状態にすることができる。
【考案を実施するための最良の状態】
以下、本考案の実施例を図面１を基に説明する。
（イ）のポータブルトイレ置き場や側面は、温もりのある色・材質が好ましく、さらに汚れを落としやすいのもが良い。
又、奥行きは既存のポータブルトイレの寸法を参考にし、幅は通常のトイレに掴まり用補助具を取り付けた寸法（７０ｃｍ位）が望ましい。（ロ）の補助具は伸縮可能な設計にする。（ニ）、（ヘ）の補助棒の素材は寒い季節にも冷たさを感じさせないようなものにする。（ト）に取り付けるシートやパネルは美観を考えた場合、重要なポイントであるので、デザイン・素材等、様々なパターンを考える。（チ）の小物収納部は設置場所によって利用しやすいような工夫が必要になる。
【図面の簡単な説明】
【図１】本実施形態を示す斜視図である
【図２】掴まるためのスライド式補助具、スライド式足載せ板、汚れ防止シート・パネル兼便器（ボックス）カバーを収納した形態を示す斜視図である
【図３】便器部分を収納した状態
【符号の説明】イ、ポータブルトイレ置き板。
ロ、掴まるためのスライド式補助具。
ハ、スライド式足載せ板。
ニ、握り棒。
ホ、空間を確保する形。
ヘ、前のめり防止棒。
ト、汚れ防止シート兼便器（ボックス）カバー。
チ、収納空間。
【図１】
0003155600.tif 000003
【図２】
0003155600.tif 000004
【図３】
0003155600.tif 000005
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
介護用ポータブルトイレボックスにおいて、
（イ）  既存のポータブルトイレの便座の位置を高くするための板、
（ロ）  （イ）で高くなった便座に座る際、身体の安定性を得るための握り部分、
（ハ）  便座位置が高くなっているので着座後足元の安定性を確保するためのスライド式の板、
（ニ）  着座後、身体を自由に動かすための補助具、
（ホ）  利用者、介助者の足元の安全を確保するため、（イ）の前部に空間を作る形状、
（ヘ）  筋力の弱っている利用者が着座後、前のめりに転倒するのを防止する補助具、
（ト）  排泄時の床面の汚れ防止のためのシートやパネル、防水加工布、
（チ）  （イ）の板の下部を利用した小物収納部分、
以上からなる介護用ポータブルトイレボックス。
【手続補正２】
【補正対象書類名】図面
【補正対象項目名】全図
【補正方法】変更
【補正の内容】
【図１】
0003155600.tif 000006
【図２】
0003155600.tif 000007
【図３】
0003155600.tif 000008